(57)【要約】【課題】栽培場所において何の植物が生育しているかを確認することを課題とする。【解決手段】情報処理装置１０は、栽培場所の画像を取得し、取得された栽培場所の画像に含まれる目印に基づいて、該栽培場所と同一の栽培場所の過去画像を画像ＤＢ２０から検索する。そして、情報処理装置１０は、検索された過去画像に含まれる目印と、取得された栽培場所の画像に含まれる目印とを用いて、両画像を重畳した画像を作成し、作成された画像を出力する。【選択図】図１
2014149725.tif 000002
【特許請求の範囲】
【請求項１】
情報処理装置で実行される植物確認方法であって、
栽培場所の画像を取得する取得ステップと、
前記取得ステップによって取得された栽培場所の画像に含まれる目印に基づいて、該栽培場所と同一の栽培場所の過去画像を画像記憶部から検索する検索ステップと、
前記検索ステップによって検索された過去画像に含まれる目印と、前記取得ステップによって取得された栽培場所の画像に含まれる目印とを用いて、両画像を重畳した画像を作成する作成ステップと、
前記作成ステップによって作成された画像を出力する出力ステップと、
を含んだことを特徴とする植物確認方法。
【請求項２】
前記作成ステップは、前記検索ステップによって検索された過去画像が複数である場合には、複数の過去画像のうちのいずれか一つを選択させるための画像リストを画像記憶部から受信し、該画像リストから選択された過去画像と、前記取得ステップによって取得された栽培場所の画像とを重畳した画像を作成することを特徴とする請求項１に記載の植物確認方法。
【請求項３】
前記作成ステップは、前記取得ステップによって取得された栽培場所の画像に含まれる目印と前記過去画像に含まれる目印とが重ね合うように、該過去画像を編集し、編集した過去画像と、前記取得ステップによって取得された栽培場所の画像とを重畳した画像を作成することを特徴とする請求項１または２に記載の植物確認方法。
【請求項４】
前記検索ステップは、前記取得ステップによって取得された栽培場所の画像に含まれる目印と同一または類似の目印を含む画像を同一の栽培場所の画像として検索することを特徴とする請求項１〜３のいずれか一つに記載の植物確認方法。
【請求項５】
前記取得ステップによって取得された栽培場所の画像に含まれる目印を抽出する抽出ステップをさら含み、
前記検索ステップは、前記抽出ステップによって抽出された目印に基づいて、該栽培場所と同一の栽培場所の画像を画像記憶部から検索することを特徴とする請求項１〜４のいずれか一つに記載の植物確認方法。
【請求項６】
前記検索ステップは、前記取得ステップによって取得された栽培場所の画像に含まれる目印として、該栽培場所の四隅に設置された目印に基づいて、該栽培場所と同一の栽培場所の画像を画像記憶部から検索することを特徴とする請求項１〜５のいずれか一つに記載の植物確認方法。
【請求項７】
栽培場所の画像を取得する取得部と、
前記取得部によって取得された栽培場所の画像に含まれる目印に基づいて、該栽培場所と同一の栽培場所の画像を画像記憶部から検索する検索部と、
前記検索部によって検索された栽培場所の画像に含まれる目印と、前記取得ステップによって取得された栽培場所の過去画像に含まれる目印とを用いて、両画像を重畳した画像を作成する作成部と、
前記作成部によって作成された画像を出力する出力部と、
を備えることを特徴とする情報処理装置。
【発明の詳細な説明】
【技術分野】
【０００１】
本発明は、植物確認方法および情報処理装置に関する。
【背景技術】
【０００２】
花壇や畑などの栽培場所における花や作物などの植物は、最盛期には、花が咲いたり作物が実ったりすることで、地上から生育していることが目に見える。一方、花壇の花や畑の作物などの植物は、休眠期においては、花壇や畑の土の下に種や球根が植え付けられる。
【先行技術文献】
【特許文献】
【０００３】
【特許文献１】特開２０００−３２２４３６号公報
【特許文献２】特開２０００−３２２４３５号公報
【発明の概要】
【発明が解決しようとする課題】
【０００４】
しかしながら、種や球根が植え付けられた後は、地面に埋められた種や球根を地上から目で確認することができないので、栽培場所において何の植物が生育しているかを確認することができないという課題があった。つまり、休眠期においては、種や球根が植え付けられた後は、花壇や畑に将来何の花が咲いたり、何の作物が実ったりするかを知ることができない。
【０００５】
なお、サイバー図鑑データベースを有する情報センタが設けられ、観察者があいまいなヒントから所望のデータを容易に検索する技術や、観察者が観察したものに関する情報を容易に図鑑情報センタに入力する技術も知られているが（例えば、特許文献１、２参照）、このサイバー図鑑データベースを利用した場合であっても、栽培場所において何の植物が生育しているかを確認することができなかった。
【０００６】
そこで、この発明は、上述した従来技術の課題を解決するためになされたものであり、栽培場所において何の植物が生育しているかを確認することを目的とする。
【課題を解決するための手段】
【０００７】
上述した課題を解決し、目的を達成するため、植物確認方法は、情報処理装置で実行される植物確認方法であって、栽培場所の画像を取得する取得ステップと、前記取得ステップによって取得された栽培場所の画像に含まれる目印に基づいて、該栽培場所と同一の栽培場所の過去画像を画像記憶部から検索する検索ステップと、前記検索ステップによって検索された過去画像に含まれる目印と、前記取得ステップによって取得された栽培場所の画像に含まれる目印とを用いて、両画像を重畳した画像を作成する作成ステップと、前記作成ステップによって作成された画像を出力する出力ステップと、を含んだことを特徴とする。
【０００８】
また、情報処理装置は、栽培場所の画像を取得する取得部と、前記取得部によって取得された栽培場所の画像に含まれる目印に基づいて、該栽培場所と同一の栽培場所の画像を画像記憶部から検索する検索部と、前記検索部によって検索された栽培場所の画像に含まれる目印と、前記取得ステップによって取得された栽培場所の過去画像に含まれる目印とを用いて、両画像を重畳した画像を作成する作成部と、前記作成部によって作成された画像を出力する出力部と、を備えることを特徴とする。
【発明の効果】
【０００９】
本願に開示する植物確認方法および情報処理装置は、栽培場所において何の植物が生育しているかを確認することが可能である。
【図面の簡単な説明】
【００１０】
【図１】図１は、実施の形態に係る情報処理装置の構成を示すブロック図である。
【図２】図２は、画像ＤＢに記憶された画像データであって、過去に撮影された畑の画像データの一例を示す図である。
【図３】図３は、畑の静止画像の撮影について説明する図である。
【図４】図４は、過去の画像を検索する処理について説明する図である。
【図５】図５は、画像を重畳表示する処理について説明する図である。
【図６】図６は、最盛期の畑と休眠期の畑の例を示す図である。
【図７】図７は、休眠期の畑を撮影することで、表示される画面例を説明する図である。
【図８】図８は、実施の形態に係る情報処理装置の処理手順を説明するためのフローチャートである。
【図９】図９は、植物確認プログラムを実行するコンピュータを示す図である。
【発明を実施するための形態】
【００１１】
以下に添付図面を参照して、この発明に係る植物確認方法および情報処理装置の好適な実施形態を詳細に説明する。なお、この実施形態によりこの発明が限定されるものではない。
【００１２】
［情報処理装置の構成］
まず、図１を用いて、実施の形態に係る情報処理装置１０の構成について説明する。図１は、実施の形態に係る情報処理装置１０の構成を示すブロック図である。なお、情報処理装置１０は、携帯電話、スマートフォン、ＰＣ（Portable  Computer）、ＰＨＳ（Personal  Handyphone  System）、ＰＤＡ（Personal  Digital  Assistant）、タブレットＰＣ（Portable  Computer）等、任意の装置であってよい。図１に示すように、実施の形態に係る情報処理装置１０は、入力部１１、表示部１２、通信制御部１３、撮影部１４、制御部１５および記憶部１６を有し、図示しないネットワーク等を介して画像ＤＢ（Data  Base）２０と接続される。なお、ここで説明する構成はあくまで一例であり、他のさまざまな形態でも実施が可能である。
【００１３】
ここで、情報処理装置１０を説明する前に、画像ＤＢ２０について説明する。画像ＤＢ２０は、各種画像データを記憶するデータベースであり、過去に撮影された畑や花壇の静止画像のデータを記憶する。画像ＤＢ２０が記憶する静止画像データの例として、例えば、図２に例示するように、植え付け時の畑の静止画像や、最盛期の畑の静止画像や、休眠期の畑の静止画像を記憶する。図２は、画像ＤＢ２０に記憶された画像データであって、過去に撮影された畑の画像データの一例を示す図である。なお、図において、点線で示された部分は、実際には地中に埋まっており地上からは見えない部分であることを示している。
【００１４】
入力部１１は、ユーザからの画像の検索指示や、画像の選択指示などを入力するものであり、マウスやキーボード、各種ボタンなどを備えて構成される。また、表示部１２は、栽培場所における植え位置のデザインを表示するものであり、モニタ、若しくはディスプレイ、タッチパネルなどを備えて構成される。例えば、表示部１２は、撮影した栽培場所の画像に対して、過去の栽培場所の画像を重畳した画像を表示する。
【００１５】
通信制御部１３は、周辺機器との間でやり取りする各種情報に関する通信を制御する。撮影部１４は、栽培場所の静止画や動画を撮影するものであり、カメラやビデオなどを備えて構成される。例えば、撮影部１４は、種や球根が植え付けられた畑や花壇の静止画像を撮影する。なお、カメラやビデオが情報処理装置１０に内蔵されている場合に限定されるものではなく、カメラやビデオと情報処理装置１０とがケーブル等で接続されていてもよい。
【００１６】
記憶部１６は、制御部１５による各種処理に必要なデータおよびプログラムを格納するが、特に本発明に密接に関連するものとしては、静止画像記憶部１６ａおよび重畳画像記憶部１６ｂを有する。なお、記憶部１６とは、ＲＡＭ（Random  Access  Memory）、ＲＯＭ（Read  Only  Memory）、フラッシュメモリ（flash  memory）などの半導体メモリ素子、または、ハードディスク、光ディスクなどの記憶装置である。
【００１７】
静止画像記憶部１６ａは、栽培場所の静止画像を記憶する。具体的には、静止画像記憶部１６ａは、後述する取得部１５ａによって取得された畑や花壇の静止画像を記憶する。また、例えば、後述する図３に例示するように、静止画像記憶部１６ａは、畑の四隅に設置された畑の区間を示す目印αを含む畑の静止画像を記憶する。
【００１８】
重畳画像記憶部１６ｂは、撮影された畑や花壇の静止画像と、過去に撮影された同一の畑や花壇の静止画像とが重畳された画像を記憶する。具体的には、重畳画像記憶部１６ｂは、後述する作成部１５ｄによって作成された、撮影された畑や花壇の静止画像と、過去に撮影された同一の畑や花壇の静止画像とが重畳された画像を記憶する。
【００１９】
制御部１５は、各種の処理手順などを規定したプログラムおよび所要データを格納するための内部メモリを有し、これらによって種々の処理を実行するが、特に本発明に密接に関連するものとしては、取得部１５ａ、抽出部１５ｂ、検索部１５ｃ、作成部１５ｄおよび出力部１５ｅを有する。
【００２０】
取得部１５ａは、栽培場所の静止画像を取得する。具体的には、取得部１５ａは、目印を含む栽培場所の静止画像を取得する。例えば、取得部１５ａは、図３に例示するように、畑の四隅に設置された畑の区間を示す目印αを含む畑の静止画像を取得し、静止画像記憶部１６ａに格納する。なお、図３において撮影された畑の静止画像は、休眠期の畑の画像であり、地上は枯れて花や作物が無くなっている状態であるが、地中には地下茎（図３では、図示せず）等が残っている状態である。
【００２１】
抽出部１５ｂは、取得部１５ａによって取得された栽培場所の画像に含まれる目印を抽出する。具体的には、抽出部１５ｂは、静止画像記憶部１６ａに格納された静止画像の画像を解析し、畑の四隅に設置された目印αを抽出する。例えば、抽出部１５ｂは、予め目印αの形状（例えば、円柱形状）が設定されており、予め設定された目印の形状αと同一または類似の形状のものが静止画像上に存在するか画像を解析し、同一または類似の形状のものが存在する場合には、それを静止画上の目印αとして抽出する。
【００２２】
検索部１５ｃは、取得部１５ａによって取得された栽培場所の画像に含まれる目印に基づいて、該栽培場所と同一の栽培場所の画像を画像ＤＢ２０から検索する。具体的には、検索部１５ｃは、抽出部１５ｂによって抽出された目印に基づいて、該栽培場所と同一の栽培場所の画像を画像ＤＢ２０から検索する。例えば、検索部１５ｃは、取得部１５ａによって取得された栽培場所の画像に含まれる目印として、該栽培場所の四隅に設置された目印に基づいて、該栽培場所と同一の栽培場所の画像を画像ＤＢ２０から検索する。また、検索部１５ｃは、取得部１５ａによって取得された栽培場所の画像に含まれる目印と同一または類似の目印を含む画像を同一の栽培場所の画像として検索する。
【００２３】
ここで、図４を用いて、画像ＤＢ２０から過去の画像を検索する処理について説明する。図４は、過去の画像を検索する処理について説明する図である。図４に示すように、情報処理装置１０は、撮影された栽培場所の静止画像に含まれる目印と同一または類似の目印を含む画像を、同一の栽培場所の画像として画像ＤＢ２０から検索する。検索の結果、図４の例では、同一の栽培場所の画像として、植え付け時の畑の静止画像、最盛期の畑の静止画像、および、休眠期の畑の静止画像を検索する。
【００２４】
作成部１５ｄは、検索部１５ｃによって検索された栽培場所の画像に含まれる目印と、取得部１５ａによって取得された栽培場所の過去画像に含まれる目印とを用いて、両画像を重畳した画像を作成する。また、作成部１５ｄは、検索部１５ｃによって検索された過去画像が複数である場合には、複数の過去画像のうちのいずれか一つを選択させるための画像リストを画像ＤＢ２０から受信して表示し、該画像リストからユーザに選択された過去画像と、取得部１５ａによって取得された栽培場所の画像とを重畳した画像を作成する。例えば、作成部１５ｄは、画像リストの表示態様として、複数の過去画像が全て表示されたサムネイルを表示させてもよいし、複数の過去画像のうち一つの画像を表示させ、スライド指示を受け付けた場合に、別の過去画像を表示させるようにしてもよい。
【００２５】
ここで、図４の例を用いて、情報処理装置１０が画像リストを表示し、画像リストからユーザに画像を選択される処理例について説明する。図４に例示するように、情報処理装置１０は、複数の過去画像のうちは初植え付け時の画像を表示させ、スライド指示として矢印がカーソル（図示せず）等により選択されるたびに、最盛期の画像、休眠期の画像と順次表示を変化させる。そして、ユーザは、撮影した静止画像と重畳させたい画像が表示されている際に、選択ボタンをカーソルにより選択することで、表示されている画像が選択される。
【００２６】
また、作成部１５ｄは、取得部１５ａによって取得された栽培場所の画像に含まれる目印と過去画像に含まれる目印とが重ね合うように、該過去画像を編集し、編集した過去画像と、取得部１５ａによって取得された栽培場所の画像とを重畳した画像を作成する。
【００２７】
ここで、図５の例を用いて、重畳した画像を表示する処理について説明する。図５は、画像を重畳表示する処理について説明する図である。図５の例では、図３において撮影された画像と、図４において選択された最盛期の過去画像とが重畳された場合を例として説明する。図５に示すように、ユーザは、表示された画像のリストから、リスト番号２番の最盛期の過去画像が選択されると、情報処理装置１０は、リスト番号２番の過去画像を画像ＤＢ２０に要求する。
【００２８】
そして、情報処理装置１０は、応答として、リスト番号２番の最盛期の過去画像を受信し、受信した最盛期の過去画像と、撮影した現在の画像とを重畳する。例えば、撮影した現在の画像に含まれる目印を基準として、最盛期の過去画像に含まれる目印が現在の画像に含まれる目印とが重なり合うように、最盛期の過去を編集した後、編集した過去画像と現在の画像とを重畳した画像を作成する。
【００２９】
出力部１５ｅは、作成部１５ｄによって作成された重畳画像を出力する。例えば、出力部１５ｅは、図５に例示するように、情報処理装置１０は、図３において撮影された休眠期の畑の画像と、図４において編集された最盛期の過去画像とが重畳された画像を表示する。
【００３０】
つまり、図６に例示するように、花や作物の最盛期においては、地上から花や作物が生育しているのが目に見えるが（図６の（１）参照）、休眠期（地上は枯れて無くなるが地下茎は残っている）や種・球根の植え付け後は花や作物が目に見えない（図６の（２）参照）。図６は、最盛期の畑と休眠期の畑の例を示す図である。
【００３１】
このように、ただ眺めただけでは何もないと思われる花壇や畑について、その場所に何かあるのかを予め確認することができれば、便利である。つまり、例えば、既に植わっているものを無駄にしないように考慮したり、これからの栽培に適した植物等を判断したりすることができる。
【００３２】
このため、図７に示すように、情報処理装置１０は、畑や花壇などの特定の場所を撮影した画像の目印をもとに、その場所の過去の画像を画像ＤＢ２０から検索し、検索した過去の画像（例えば、最盛期の畑の画像）と、撮影した現在の画像（例えば、休眠期の畑の画像）とを重畳した画像を作成し、表示する。これにより、ユーザは、表示された画像から既に植わっているものを知ることができたり、これまでに植えられてきた植物等を把握することができる結果、既に植わっているものを無駄にしないように考慮したり、これからの栽培に適した植物等を判断したりすることができる。
【００３３】
［情報処理装置による処理］
次に、図８を用いて、実施の形態に係る情報処理装置１０による処理を説明する。図８は、実施の形態に係る情報処理装置１０の処理手順を説明するためのフローチャートである。
【００３４】
図８に示すように、情報処理装置１０の取得部１５ａが栽培場所の静止画像を取得すると（ステップＳ１０１肯定）、抽出部１５ｂは、取得部１５ａによって取得された栽培場所の静止画像に含まれる目印を抽出する（ステップＳ１０２）。例えば、抽出部１５ｂは、予め設定された目印の形状αと同一または類似の形状のものが静止画像上に存在するか画像を解析し、同一または類似の形状のものが存在する場合には、それを静止画上の目印αとして抽出する。
【００３５】
検索部１５ｃは、取得部１５ａによって取得された栽培場所の画像に含まれる目印に対応する過去画像を画像ＤＢ２０から検索する（ステップＳ１０３）。検索した結果、過去画像が複数である場合には、作成部１５ｄは、複数の過去画像のうちのいずれか一つを選択させるための画像リストを画像ＤＢ２０から受信し（ステップＳ１０４）、受信した画像リストを表示する（ステップＳ１０５）。その後、作成部１５は、該画像リストの画像からユーザによる画像の選択指示を受け付ける（ステップＳ１０６）。
【００３６】
そして、作成部１５ｄは、検索部１５ｃによって検索された栽培場所の画像に含まれる目印と、取得部１５ａによって取得された栽培場所の過去画像に含まれる目印とを用いて、両画像を重畳した画像を作成する（ステップＳ１０７）。具体的には、作成部１５は、取得部１５ａによって取得された栽培場所の画像に含まれる目印と過去画像に含まれる目印とが重ね合うように、該過去画像を編集し、編集した過去画像と、取得部１５ａによって取得された栽培場所の画像とを重畳した画像を作成する。その後、出力部１５ｅは、作成部１５ｄによって作成された重畳画像を表示して（ステップＳ１０８）、処理を終了する。
【００３７】
[実施の形態の効果]
上述してきたように、実施の形態に係る情報処理装置１０は、栽培場所の画像を取得し、取得された栽培場所の画像に含まれる目印に基づいて、該栽培場所と同一の栽培場所の過去画像を画像ＤＢ２０から検索し、検索された過去画像に含まれる目印と、取得された栽培場所の画像に含まれる目印とを用いて、両画像を重畳した画像を作成し、作成された画像を出力する。これにより、撮影した栽培場所において過去に生長した植物の画像をユーザに見せることができる結果、栽培場所において何の植物が生育しているかを確認することが可能である。また、例えば、ユーザは、表示された画像から既に植わっているもの知ることができたり、これまでに植えられてきた植物等を把握することができる結果、既に植わっているものを無駄にしないように考慮したり、これからの栽培に適した植物等を判断したりすることができる。
【００３８】
また、実施の形態に係る情報処理装置１０によれば、検索された過去画像が複数である場合には、複数の過去画像のうちのいずれか一つを選択させるための画像リストを画像ＤＢ２０から受信し、該画像リストから選択された過去画像と、取得された栽培場所の画像とを重畳した画像を作成する。このため、情報処理装置１０は、ユーザに重畳させる過去画像を選択させることができるので、撮影した栽培場所において過去に生長した植物の画像を適切に作成することが可能である。
【００３９】
また、実施の形態に係る情報処理装置１０によれば、取得された栽培場所の画像に含まれる目印と過去画像に含まれる目印とが重ね合うように、該過去画像を編集し、編集した過去画像と、取得された栽培場所の画像とを重畳した画像を作成する。このため、情報処理装置１０は、取得した栽培場所の画像と過去の画像と目印を基準に、適切に重畳することが可能である。
【００４０】
また、実施の形態に係る情報処理装置１０によれば、取得された栽培場所の画像に含まれる目印と同一または類似の目印を含む画像を同一の栽培場所の画像として検索する。このため、情報処理装置１０は、目印を用いて、同一の栽培場所の過去画像を適切に検索することが可能である。
【００４１】
また、実施の形態に係る情報処理装置１０によれば、取得された栽培場所の画像に含まれる目印を抽出し、抽出された目印に基づいて、該栽培場所と同一の栽培場所の画像を画像ＤＢ２０から検索する。このため、情報処理装置１０は、栽培場所の画像に含まれる目印を抽出することで、同一の栽培場所の過去画像を適切に検索することが可能である。
【００４２】
また、実施の形態に係る情報処理装置１０によれば、取得された栽培場所の画像に含まれる目印として、該栽培場所の四隅に設置された目印に基づいて、該栽培場所と同一の栽培場所の画像を画像記憶部から検索する。このため、情報処理装置１０は、四隅にある目印を用いて、同一の栽培場所の過去画像を適切に検索することが可能である。
【００４３】
［システム構成］
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００４４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００４５】
［プログラム］
また、上記実施形態において説明した情報処理装置１０が実行する処理をコンピュータが実行可能な言語で記述したプログラムを作成することもできる。例えば、第一の実施形態に係る情報処理装置１０が実行する処理をコンピュータが実行可能な言語で記述した植物確認プログラムを作成することもできる。この場合、コンピュータが植物確認プログラムを実行することにより、上記実施形態と同様の効果を得ることができる。さらに、かかる植物確認プログラムをコンピュータ読み取り可能な記録媒体に記録して、この記録媒体に記録され植物確認プログラムをコンピュータに読み込ませて実行することにより上記実施形態１と同様の処理を実現してもよい。以下に、図１に示した情報処理装置１０と同様の機能を実現する植物確認プログラムを実行するコンピュータの一例を説明する。
【００４６】
図９は、植物確認プログラムを実行するコンピュータ１０００を示す図である。図９に例示するように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【００４７】
メモリ１０１０は、図９に例示するように、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、図９に例示するように、ハードディスクドライブ１０３１に接続される。ディスクドライブインタフェース１０４０は、図９に例示するように、ディスクドライブ１０４１に接続される。例えば磁気ディスクや光ディスク等の着脱可能な記憶媒体が、ディスクドライブに挿入される。シリアルポートインタフェース１０５０は、図９に例示するように、例えばマウス１０５１、キーボード１０５２に接続される。ビデオアダプタ１０６０は、図９に例示するように、例えばディスプレイ１０６１に接続される。
【００４８】
ここで、図９に例示するように、ハードディスクドライブ１０３１は、例えば、ＯＳ１０９１、アプリケーションプログラム１０９２、プログラムモジュール１０９３、プログラムデータ１０９４を記憶する。すなわち、上記の植物確認プログラムは、コンピュータ１０００によって実行される指令が記述されたプログラムモジュールとして、例えばハードディスクドライブ１０３１に記憶される。
【００４９】
また、上記実施形態で説明した各種データは、プログラムデータとして、例えばメモリ１０１０やハードディスクドライブ１０３１に記憶される。そして、ＣＰＵ１０２０が、メモリ１０１０やハードディスクドライブ１０３１に記憶されたプログラムモジュール１０９３やプログラムデータ１０９４を必要に応じてＲＡＭ１０１２に読み出し、各種手順を実行する。
【００５０】
なお、植物確認プログラムに係るプログラムモジュール１０９３やプログラムデータ１０９４は、ハードディスクドライブ１０３１に記憶される場合に限られず、例えば着脱可能な記憶媒体に記憶され、ディスクドライブ等を介してＣＰＵ１０２０によって読み出されてもよい。あるいは、植物確認プログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【００５１】
１０  情報処理装置
１１  入力部
１２  表示部
１３  通信制御部
１４  撮影部
１５  制御部
１５ａ  取得部
１５ｂ  抽出部
１５ｃ  検索部
１５ｄ  作成部
１５ｅ  出力部
１６  記憶部
１６ａ  静止画像記憶部
１６ｂ  重畳画像記憶部
２０  画像ＤＢ
【図１】
2014149725.tif 000003
【図３】
2014149725.tif 000004
【図６】
2014149725.tif 000005
【図７】
2014149725.tif 000006
【図８】
2014149725.tif 000007
【図９】
2014149725.tif 000008
【図２】
2014149725.tif 000009
【図４】
2014149725.tif 000010
【図５】
2014149725.tif 000011